(57)【要約】【課題】アウターリードを支持するタイバーを利用してアンカ部を生成し、製造コストを抑制することができる半導体装置の製造方法を提供する。【解決手段】半導体装置１の製造方法は、複数の回路パターン形成領域２０が並んで形成されたリードフレーム２を準備し、回路パターン形成領域２０に電子部品を取り付けて電子回路部３を形成し、電子回路部３を覆うと共に複数のアウターリードが露出するように、封止樹脂によって第１の封止体４を形成し、複数のアウターリードを繋ぐタイバー２３の一部を切断してアウターリードのそれぞれにアンカ部を形成すると共にリードフレーム２と繋がる他のタイバー２２と複数のアウターリードとを切断して一次成形体５を形成し、一次成形体５の第１の封止体４及びアンカ部を覆うように封止樹脂によって第２の封止体６を形成して二次成形体を形成するものである。【選択図】図３
2018018953.tif 000002
【特許請求の範囲】
【請求項１】
複数の回路パターン形成領域が並んで形成されたリードフレームを準備し、
前記回路パターン形成領域に電子部品を取り付けて電子回路部を形成し、
前記電子回路部を覆うと共に複数のアウターリードが露出するように、封止樹脂によって第１の封止体を形成し、
前記複数のアウターリードを繋ぐタイバーの一部を切断して前記アウターリードのそれぞれにアンカ部を形成すると共に前記リードフレームと繋がる他のタイバーと前記複数のアウターリードとを切断して一次成形体を形成し、
前記一次成形体の前記第１の封止体及び前記アンカ部を覆うように封止樹脂によって第２の封止体を形成して二次成形体を形成する、
半導体装置の製造方法。
【請求項２】
前記アウターリードがコネクタ端子として前記第２の封止体に形成されたコネクタ部内に露出する、
請求項１に記載の半導体装置の製造方法。
【請求項３】
前記複数のアウターリードを繋ぐタイバーが複数形成され、前記アウターリードごとに複数のアンカ部が形成される、
請求項１又は２に記載の半導体装置の製造方法。
【発明の詳細な説明】
【技術分野】
【０００１】
本発明は、半導体装置の製造方法に関する。
【背景技術】
【０００２】
従来の技術として、半導体チップを内包したモールド部と、半導体チップと共にモールド部に内包され、その一部がモールド部の１つの面から露出したリード端子と、を備えた半導体装置が知られている（例えば、特許文献１参照。）。
【０００３】
この半導体装置は、モールド部から露出したリード端子がコネクタなどと接続される接続端子となっている。この接続端子は、アンカ部がモールド部内に形成されている。このアンカ部は、接続端子が延びる方向に引っ張られた際、モールド部から抜けないように、引っ張られる方向に交差した方向に幅が広くされている。
【先行技術文献】
【特許文献】
【０００４】
【特許文献１】特開２０１５−９５４８６号公報
【発明の概要】
【発明が解決しようとする課題】
【０００５】
本発明の目的は、アウターリードを支持するタイバーを利用してアンカ部を生成し、製造コストを抑制することができる半導体装置の製造方法を提供することにある。
【課題を解決するための手段】
【０００６】
本発明の一態様は、複数の回路パターン形成領域が並んで形成されたリードフレームを準備し、回路パターン形成領域に電子部品を取り付けて電子回路部を形成し、電子回路部を覆うと共に複数のアウターリードが露出するように、封止樹脂によって第１の封止体を形成し、複数のアウターリードを繋ぐタイバーの一部を切断してアウターリードのそれぞれにアンカ部を形成すると共にリードフレームと繋がる他のタイバーと複数のアウターリードとを切断して一次成形体を形成し、一次成形体の第１の封止体及びアンカ部を覆うように封止樹脂によって第２の封止体を形成して二次成形体を形成する、半導体装置の製造方法を提供する。
【発明の効果】
【０００７】
本発明によれば、アウターリードを支持するタイバーを利用してアンカ部を生成して製造コストを抑制することができる。
【図面の簡単な説明】
【０００８】
【図１】図１（ａ）は、実施の形態に係る半導体装置の一例を示す概略図であり、図１（ｂ）は、半導体装置の一次成形体の一例を示す概略図である。
【図２】図２は、実施の形態に係る半導体装置の回路パターンが形成されたリードフレームの一例を示す概略図である。
【図３】図３（ａ）〜図３（ｄ）は、実施の形態に係る半導体装置の製造方法の一例を説明するための概略図である。
【図４】図４（ａ）〜図４（ｃ）は、変形例に係る半導体装置のアンカ部の一例を示す概略図である。
【発明を実施するための形態】
【０００９】
（実施の形態の要約）
実施の形態に係る半導体装置の製造方法は、複数の回路パターン形成領域が並んで形成されたリードフレームを準備し、回路パターン形成領域に電子部品を取り付けて電子回路部を形成し、電子回路部を覆うと共に複数のアウターリードが露出するように、封止樹脂によって第１の封止体を形成し、複数のアウターリードを繋ぐタイバーの一部を切断してアウターリードのそれぞれにアンカ部を形成すると共にリードフレームと繋がる他のタイバーと複数のアウターリードとを切断して一次成形体を形成し、一次成形体の第１の封止体及びアンカ部を覆うように封止樹脂によって第２の封止体を形成して二次成形体を形成するものである。
【００１０】
この半導体装置の製造方法は、リードフレームから一次成形体を切り離す際にアンカ部も形成されるので、この方法を採用しない場合と比べて、アウターリードを支持するタイバーを利用してアンカ部を生成して製造コストを抑制することができる。
【００１１】
[実施の形態]
（半導体装置１の概要）
図１（ａ）は、実施の形態に係る半導体装置の一例を示す概略図であり、図１（ｂ）は、半導体装置の一次成形体の一例を示す概略図である。図２は、実施の形態に係る半導体装置の回路パターンが形成されたリードフレームの一例を示す概略図である。なお、以下に記載する実施の形態に係る各図において、図形間の比率は、実際の比率とは異なる場合がある。
【００１２】
本実施の形態の半導体装置１は、一例として、図１（ａ）及び図１（ｂ）に示すように、磁気検出ＩＣ（Integrated Circuit）３０を含む電子回路部３を備えた磁気センサ装置である。なお半導体装置１は、磁気センサ装置に限定されず、圧力を検出する圧力センサ装置、温度を測定する温度センサ装置などでも良く、発光素子などを備えた照明装置などであっても良い。
【００１３】
この半導体装置１は、一例として、車両に配置され、検出対象の接近を検出するように構成されている。なお検出対象は、一例として、ブレーキペダルやシートベルト装置のタングプレートなどである。
【００１４】
この半導体装置１は、図１（ａ）及び図１（ｂ）に示すように、電子回路部３を封止して形成された第１の封止体４を備えた一次成形体５をさらに封止して形成されている。つまり半導体装置１は、二度のモールド成形によって形成される。
【００１５】
（一次成形体５の構成）
一次成形体５は、例えば、図２に示すように、リードフレーム２の回路パターン形成領域２０ごとに形成される。このリードフレーム２は、例えば、アルミニウム、銅、鉄などの金属材料又は合金材料の薄板である。
【００１６】
このリードフレーム２には、図２に示すように、複数の回路パターン形成領域２０が形成されている。この回路パターン形成領域２０は、形成する一次成形体５の電子回路部３に応じた回路パターン２１が形成されている。
【００１７】
この回路パターン２１は、電子回路部３の配線や電子部品を配置するダイパッドとなるものである。そして回路パターン２１は、打ち抜き（プレス）やエッチングなどによって形成される。
【００１８】
また回路パターン２１は、タイバー２２、タイバー２３及びアウターリード２５ｂ〜アウターリード２８ｂの端部と、回路パターン形成領域２０を囲む枠２００とが繋がるように形成されている。
【００１９】
このタイバー２２は、図２に示すように、インナーリード２５ａ〜インナーリード２８ａと枠２００とを繋げている。つまりインナーリード２５ａ〜インナーリード２８ａは、複数のタイバー２２によって枠２００に支持されている。
【００２０】
タイバー２３は、図２に示すように、一列に並ぶアウターリード２５ｂ〜アウターリード２８ｂと交差して枠２００の両側と繋がっている。つまりアウターリード２５ｂ〜アウターリード２８ｂは、タイバー２３によって枠２００に支持されている。
【００２１】
またアウターリード２５ｂ〜アウターリード２８ｂの端部は、先端に行くほど細くなるように形成され、この先端が枠２００から突出する部分と繋がっている。この突出する部分は、先端と同じように細くなっているので、アウターリードと繋がる部分は、幅が最も狭くなって切断が容易となっている。
【００２２】
ここでインナーリード２５ａとアウターリード２５ｂは、リードフレーム２を加工して形成された一本のリードである。このインナーリード２５ａは、第１の封止体４によって封止される。またアウターリード２５ｂは、第１の封止体４から露出する。同様に、インナーリード２６ａ〜インナーリード２８ａとアウターリード２６ｂ〜アウターリード２８ｂは、それぞれ一本のリードである。なおリードの数は、形成される電子回路部３に応じて変更される。
【００２３】
電子回路部３は、このインナーリード２５ａ〜インナーリード２８ａ上に電子部品を接合することにより形成される。本実施の形態の電子回路部３は、図１（ｂ）に示すように、電子部品として、磁気検出ＩＣ３０と、２つのツェナーダイオード３１と、２つのコンデンサ３２と、を備えて概略構成されている。
【００２４】
磁気検出ＩＣ３０は、一例として、銀ペーストなどの接着剤を用いてインナーリード２５ａに配置される。そして磁気検出ＩＣ３０は、ワイヤボンディング法によってインナーリード２５ａ〜インナーリード２８ａと電気的に接続されている。
【００２５】
この磁気検出ＩＣ３０は、例えば、磁気検出素子、磁気検出素子の出力を増幅するアンプ、増幅された出力に応じて検出対象の接近を判定する制御部などを備えている。磁気検出素子は、例えば、検出対象が生成する磁場の強さを検出するホール素子、磁場の方向の変化を検出する磁気抵抗素子などから構成される。
【００２６】
２つのツェナーダイオード３１は、例えば、インナーリード２５ａとインナーリード２６ａの間に電気的に接続され、インナーリード２７ａとインナーリード２８ａの間に電気的に接続される。同様に、２つのコンデンサ３２は、例えば、インナーリード２５ａとインナーリード２６ａの間に電気的に接続され、インナーリード２７ａとインナーリード２８ａの間に電気的に接続される。このツェナーダイオード３１及びコンデンサ３２は、静電気やノイズなどから磁気検出ＩＣ３０を保護する保護回路として構成されている。ツェナーダイオード３１は、例えば、磁気検出ＩＣ３０に印加される電圧を一定に保つように接続されている。またコンデンサ３２は、例えば、ツェナーダイオード３１から発生するノイズを除去するように接続されている。
【００２７】
アウターリード２５ｂ〜アウターリード２８ｂには、図１（ｂ）に示すように、アンカ部２５ｃ〜アンカ部２８ｃが形成されている。アンカ部２５ｃ〜アンカ部２８ｃは、図２に示すタイバー２３の一部を切断することによって形成される。従ってアンカ部２５ｃは、アウターリード２５ｂの長手方向に交差するように突出した形状を有する。同様に他のアンカ部２６ｃ〜アンカ部２８ｃは、アウターリード２６ｂ〜アウターリード２８ｂの長手方向に交差するように突出した形状を有する。
【００２８】
このアンカ部２５ｃ〜アンカ部２８ｃは、図１（ａ）に示すように、第２の封止体６によって封止される。アンカ部２５ｃ〜アンカ部２８ｃは、アウターリード２５ｂ〜アウターリード２８ｂがコネクタ端子２９として使用された場合、コネクタの抜き差しによってアウターリード２５ｂ〜アウターリード２８ｂが第２の封止体６から抜けないようにするためのものである。
【００２９】
第１の封止体４は、例えば、封止樹脂を用いたモールド成形によって形成される。この封止樹脂は、エポキシ樹脂を主成分に、シリカ充填材などを加えた熱硬化性成形材料である。第１の封止体４は、例えば、電子回路部３を光、熱及び湿度などから保護するように形成されている。
【００３０】
（第２の封止体６の構成）
第２の封止体６は、一次成形体５のアウターリード２５ｂ〜アウターリード２８ｂの一部を露出させるように封止して形成される。第２の封止体６は、一例として、ＰＥ（ポリエチレン）やＰＰ（ポリプロピレン）などの熱可塑性樹脂を用いて形成される。
【００３１】
第２の封止体６は、半導体装置１の外装となるものであり、取り付け場所に応じた形状を有する。そして第２の封止体６は、接続相手のコネクタが挿入可能なコネクタ部５０が形成されている。このコネクタ部５０は、凹部形状を有し、この凹部内に接続相手のコネクタが挿入される。
【００３２】
そしてアウターリード２５ｂ〜アウターリード２８ｂは、コネクタ端子２９として第２の封止体６に形成されたコネクタ部５０内に露出する。言い換えるならコネクタ部５０の内部には、アウターリード２５ｂ〜アウターリード２８ｂの端部が露出し、コネクタ端子２９を形成している。
【００３３】
以下に本実施の形態の半導体装置１の製造方法の一例について図３（ａ）〜図３（ｄ）の図面を参照しながら説明する。
【００３４】
（半導体装置１の製造方法）
図３（ａ）〜図３（ｄ）は、実施の形態に係る半導体装置の製造方法の一例を説明するための概略図である。図３（ａ）〜図３（ｄ）は、１つの回路パターン形成領域２０を図示している。
【００３５】
半導体装置１の製造方法は、複数の回路パターン形成領域２０が並んで形成されたリードフレーム２を準備し、回路パターン形成領域２０に電子部品を取り付けて電子回路部３を形成し、電子回路部３を覆うと共に複数のアウターリード（アウターリード２５ｂ〜アウターリード２８ｂ）が露出するように、封止樹脂によって第１の封止体４を形成し、複数のアウターリードを繋ぐタイバー２３の一部を切断してアウターリードのそれぞれにアンカ部２５ｃ〜アンカ部２８ｃを形成すると共にリードフレーム２と繋がる他のタイバー２２と複数のアウターリードとを切断して一次成形体５を形成し、一次成形体５の第１の封止体４及びアンカ部２５ｃ〜アンカ部２８ｃを覆うように封止樹脂によって第２の封止体６を形成して二次成形体を形成するものである。
【００３６】
具体的には、図３（ａ）に示すように、まず複数の回路パターン形成領域２０が並んで形成されたリードフレーム２を準備する。
【００３７】
次に図３（ｂ）に示すように、回路パターン形成領域２０に電子部品を取り付けて電子回路部３を形成する。この電子部品は、一例として、磁気検出ＩＣ３０、ツェナーダイオード３１及びコンデンサ３２である。
【００３８】
次に図３（ｃ）に示すように、電子回路部３を覆うと共に複数のアウターリード（アウターリード２５ｂ〜アウターリード２８ｂ）が露出するように、封止樹脂によって第１の封止体４を形成する。この封止は、タイバー２２とタイバー３３がリードフレーム２の枠２００に繋がった状態で行われる。
【００３９】
次に図３（ｄ）に示すように、アウターリード２５ｂ〜アウターリード２８ｂを繋ぐタイバー２３の一部を切断してアウターリードのそれぞれにアンカ部２５ｃ〜アンカ部２８ｃを形成すると共にリードフレーム２と繋がる他のタイバー２２とアウターリード２５ｂ〜アウターリード２８ｂとを切断して一次成形体５を形成する。
【００４０】
アンカ部２５ｃ〜アンカ部２８ｃを形成するためのタイバー２３の切断の幅Ｗは、互いの絶縁性が保てる範囲で小さくされることが好ましい。アンカ部は、アウターリードからの突出量が多い方が抜け防止性が高いからである。切断の幅Ｗは、一例として、アウターリードの幅程度である。
【００４１】
次に、一次成形体５の第１の封止体４及びアンカ部２５ｃ〜アンカ部２８ｃを覆うように封止樹脂によって第２の封止体６を形成して二次成形体を形成し、図１（ａ）に示す半導体装置１を得る。
【００４２】
（変形例について）
図４（ａ）〜図４（ｃ）は、変形例に係る半導体装置のアンカ部の一例を示す概略図である。この図４（ａ）〜図４（ｃ）では、アウターリードの一部を図示している。
【００４３】
なお変形例としてアンカ部は、１つのアウターリードに複数形成されても良い。つまりアウターリード２５ｂ〜アウターリード２８ｂを繋ぐタイバー２３が複数形成され、アウターリードごとに複数のアンカ部が形成されても良い。この変形例では、アンカ部が１つの場合と比べて、より第１の封止体４からの抜けが抑制される。
【００４４】
図４（ａ）は、アウターリード２５ｂにアンカ部２５ｃ及びアンカ部２５ｄが形成され、アウターリード２６ｂにアンカ部２６ｃ及びアンカ部２６ｄが形成された一例を示している。なお第１の封止体４側のアンカ部２５ｃ及びアンカ部２６ｃは、アンカ部２５ｄ及びアンカ部２６ｄよりも突出量が多くても良い。
【００４５】
また他の変形例としてアンカ部は、矩形状に限定されず、例えば、アウターリード側の幅がアンカ部の先端側の幅よりも広く形成されても良い。この変形例では、この構成を採用しない場合と比べて、切断が容易であると共に第１の封止体４からの抜けが抑制される。図４（ｂ）は、アウターリード側の幅がアンカ部の先端側の幅よりも広いアンカ部２５ｃ及びアンカ部２６ｃの一例を示している。
【００４６】
さらに他の変形例としてアンカ部は、アウターリードの先端側に折れ曲がる形状を有しても良い。この変形例では、この構成を採用しない場合と比べて、より第１の封止体４からの抜けが抑制される。図４（ｃ）は、アウターリード２５ｂのアンカ部２５ｃが先端方向に曲がる曲部２５０ｃを有すると共に、アウターリード２６ｂのアンカ部２６ｃが先端方向に曲がる曲部２６０ｃを有する一例を示している。
【００４７】
（実施の形態の効果）
本実施の形態に係る半導体装置１の製造方法は、アウターリード２５ｂ〜アウターリード２８ｂを支持するタイバー２３を利用してアンカ部２５ｃ〜アンカ部２８ｃを生成し、製造コストを抑制することができる。具体的には、半導体装置１の製造方法は、リードフレーム２から一次成形体５を切り離す際にタイバー２３の一部を切断することでアンカ部２５ｃ〜アンカ部２８ｃを形成する。従って半導体装置１の製造方法は、本来は切断によって無くなるタイバー２３を、その一部だけ切断して残すことによってアンカ部２５ｃ〜アンカ部２８ｃを生成するので、この方法を採用しない場合と比べて、製造コストを抑制することができる。
【００４８】
半導体装置１は、二次成形体によって封止されるアンカ部２５ｃ〜アンカ部２８ｃを有しているので、アンカ部がない場合と比べて、第１の封止体４からのアウターリード２５ｂ〜アウターリード２８ｂの抜けが抑制され、コネクタ端子２９の信頼性が向上する。
【００４９】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００５０】
１…半導体装置、２…リードフレーム、３…電子回路部、４…第１の封止体、５…一次成形体、６…第２の封止体、２０…回路パターン形成領域、２１…回路パターン、２２…タイバー、２３…タイバー、２５ａ〜２８ａ…インナーリード、２５ｂ〜２８ｂ…アウターリード、２５ｃ〜２８ｃ…アンカ部、２５ｄ，２６ｄ…アンカ部、２９…コネクタ端子、３０…磁気検出ＩＣ、３１…ツェナーダイオード、３２…コンデンサ、３３…タイバー、５０…コネクタ部、２００…枠、２５０ｃ…曲部、２６０ｃ…曲部
【図１】
2018018953.tif 000003
【図２】
2018018953.tif 000004
【図３】
2018018953.tif 000005
【図４】
2018018953.tif 000006